(57)【特許請求の範囲】
【請求項１】
ダイバーシティモードおよび複数の修復モードで作動することのできるベーストランシーバサブシステム（ＢＴＳ）であって、
各々が出力を有する複数の送受信機を備え、個々の送受信機の出力は、少なくとも２つのアンテナブランチのそれぞれに信号を提供するように構成され、
ダイバーシティモードにおいて動作するＢＴＳに応答して、少なくとも２つのアンテナブランチは、対応するキャリアを通信するために作動し、前記ＢＴＳはさらに、
ＢＴＳの動作モードを選択するように構成されるプロセッサと、故障状態をプロセッサに提供するように構成される故障検出器とを含むコントローラと、
少なくとも１つのリコンバイナとを備え、リコンバイナは、複数の修復モードのうちの積極的な修復モードの選択に応答して、少なくとも２つのアンテナブランチのうちの故障したアンテナブランチに関連する信号を少なくとも２つのアンテナブランチのうちの少なくとも１つの他のアンテナブランチに再経路指定するように作動し、リコンバイナは、複数の修復モードのうちの消極的な修復モードの選択に応答して使用不能にされ、
プロセッサは、故障状態に少なくとも部分的に基づいてダイバーシティモードおよび複数の修復モードから選択し、
積極的な修復モードにおいて、ＢＴＳは、少なくとも２つのアンテナブランチのうちの少なくとも１つの他のアンテナブランチを用いて、故障したアンテナブランチに関連する信号を通信し、
消極的な修復モードにおいて、ＢＴＳは、少なくとも２つのアンテナブランチのうちの故障した１つに関連するキャリア信号を欠落させる、ＢＴＳ。
【請求項２】
プロセッサは、基地局コントローラ（ＢＳＣ）からの入力なしに故障状態を処理する、請求項１に記載のＢＴＳ。
【請求項３】
プロセッサから制御信号を受信するとＢＴＳの動作モードを切換えるように作動する切換機構をさらに備える、請求項１に記載のＢＴＳ。
【請求項４】
プロセッサは、基地局コントローラ（ＢＳＣ）に故障状態を中継し、プロセッサは、ＢＳＣから受信した指令に少なくとも部分的に基づき、ＢＴＳを複数の修復モードのうちの１つに切換える、請求項１に記載のＢＴＳ。
【請求項５】
プロセッサは、故障が解消されたことに少なくとも部分的に基づき、ＢＴＳを複数の修復モードのうちの１つからダイバーシティモードに切換える、請求項１に記載のＢＴＳ。
【請求項６】
故障状態が、少なくとも２つのアンテナブランチに関連する少なくとも１つの故障の発生を示し、
プロセッサは、ネットワークトラヒック、サービスの品質、ＢＴＳのトラヒック、セクタのトラヒック、機器の状態、費用、および収益効果というパラメータのうちの任意のパラメータの状態に少なくとも部分的に基づき、積極的な修復モードまたは消極的な修復モードのいずれかを始動させる、請求項１に記載のＢＴＳ。
【請求項７】
ベーストランシーバサブシステム（「ＢＴＳ」）で使用するための伝送ダイバーシティ冗長（「ＴＤＲ」）コントローラであって、
プロセッサと、
プロセッサに対し、ＢＴＳの複数のアンテナブランチのうちの少なくとも個々の１つに関連する故障を報告するように構成される故障検出器とを備え、
プロセッサは、報告された故障に少なくとも部分的に基づき、少なくとも１つのリコンバイナを選択的に始動させるように構成され、
リコンバイナは、始動されたことに応答して、故障したアンテナブランチに関連する信号を再経路指定するように応答し、
プロセッサは、ＢＴＳの積極的な修復モードにおいてリコンバイナを始動させるように構成され、プロセッサは、ＢＴＳの消極的な修復モードにおいてリコンバイナを効果的に使用不能にするように構成され、
積極的な修復モードにおいて、ＢＴＳは、少なくとも２つのアンテナブランチのうちの少なくとも１つの他のアンテナブランチを用いて、故障したアンテナブランチに関連する信号を通信し、
消極的な修復モードにおいて、ＢＴＳは、少なくとも２つのアンテナブランチのうちの故障した１つに関連するキャリア信号を欠落させる、ＴＤＲコントローラ。
【請求項８】
ＢＴＳは、ダイバーシティモードおよび複数の修復モードのうちの１つで選択的に作動するように構成され、複数の修復モードは、積極的な修復モードおよび消極的な修復モードを含み、
プロセッサは、報告された故障に少なくとも部分的に基づき、ＢＴＳに複数の修復モードのうちの１つで作動するように指令する、請求項７に記載のＴＤＲコントローラ。
【請求項９】
プロセッサは、ネットワークトラヒック、ＢＴＳのトラヒック、サービスの品質、セクタのトラヒック、機器の状態、費用、および収益効果というパラメータのうちの任意のパラメータの状態に少なくとも部分的に基づき、積極的な修復モードおよび消極的な修復モードから選択するように構成される、請求項７に記載のＴＤＲコントローラ。
【請求項１０】
消極的な修復モードにおいて、ＴＤＲコントローラは、報告された故障に対応する複数のアンテナブランチのうちの少なくとも個々の１つに関連するキャリア信号を欠落させるようにＢＴＳを構成する、請求項７に記載のＴＤＲコントローラ。
【請求項１１】
少なくとも１つのリコンバイナを有するベーストランシーバサブシステム（ＢＴＳ）を、複数パスにわたって情報を通信するダイバーシティモードでの作動から、修復モードでの作動に切換えるための方法であって、
ＢＴＳの少なくとも２つのアンテナブランチのうちの１つにおいて故障を検出するステップと、
故障の検出に応答し、かつ、ＢＴＳに関連する少なくとも１つのパラメータの状態に少なくとも部分的に基づき、積極的な修復モードおよび消極的な修復モードから選択するステップと、
積極的な修復モードおよび消極的な修復モードからの選択に応答して少なくとも１つのリコンバイナを選択的に始動させるステップとを含み、
リコンバイナは、始動されたことに応答して、故障したアンテナブランチに関連する信号を再経路指定するように応答し、
ダイバーシティモードにおいて、少なくとも２つのアンテナブランチは、対応するキャリアを通信し、
積極的な修復モードにおいて、故障したアンテナブランチに関連するキャリアは、他のアンテナブランチを用いて通信され、
消極的な修復モードにおいて、故障したアンテナブランチに関連するキャリアは欠落される、方法。
【請求項１２】
消極的な修復モードの選択に応答して、故障に対応するアンテナブランチに関連するキャリア信号を欠落させるステップをさらに含む、請求項１１に記載の方法。
【請求項１３】
消極的な修復モードの選択に応答して、ＢＴＳの複数のアンテナにより搬送される多数の周波数帯域を減じるステップをさらに含む、請求項１１に記載の方法。
【請求項１４】
積極的な修復モードの選択に応答して、ＢＴＳの複数のアンテナにより搬送される多数の周波数帯域のうちの個々の周波数帯域に関連する出力パワーを下げるステップをさらに含む、請求項１１に記載の方法。
【請求項１５】
複数のアンテナブランチを有するベーストランシーバサブシステム（ＢＴＳ）であって、
複数のコンバイナを備え、コンバイナの各々は、キャリア信号の対応する一群を合成して、複数のアンテナブランチのうちの対応する１つに沿って伝送するためにそれぞれの合成信号を生じるように構成され、前記ＢＴＳはさらに、
始動されたことに応答して、複数のコンバイナからの合成信号を再合成して少なくとも１つの再合成された信号を生じるように構成される少なくとも１つのリコンバイナと、
複数のアンテナブランチに関連する故障検出器とを備え、故障検出器は、複数のアンテナブランチに関連する故障を検出するように構成され、故障を検出すると、故障標識を生成するように構成され、前記ＢＴＳはさらに、
故障検出器からの故障標識に応答するプロセッサを備え、プロセッサは、故障標識に応答して、選択的に、リコンバイナを使用不能とするとともに、故障に関連するアンテナブランチのキャリア信号を欠落させるようにＢＴＳを制御するように構成される、ＢＴＳ。
【請求項１６】
プロセッサは、外部のプロセッサに故障標識を中継するように構成され、プロセッサは、トラヒックが予め規定されたしきい値を超えたという判断に少なくとも部分的に基づき、プロセッサにリコンバイナを始動させることを指示する指令を外部のプロセッサから受信するように構成される、請求項１５に記載のＢＴＳ。
【発明の詳細な説明】
【技術分野】
【０００１】
関連出願
この出願は、この明細書においてその全体が援用される、２００３年４月２５日に出願されて「基地局内においてマルチキャリアパワーアンプおよび合成方式を用いて全冗長アンテナホッピングを実施するためのシステムおよび方法（Fully Redundant Antenna Hopping with Multi-Carrier Power Amplifiers and Combining Schemes within a Base Station）」と題された、米国仮出願連続番号第６０／４６５，９９７号の優先権を主張する。
【０００２】
発明の背景
発明の分野
この発明は一般に、無線通信のインフラストラクチャに関し、特に、基地局内においてマルチキャリアパワーアンプおよび合成方式によりアンテナホッピングおよび冗長を実施するためのシステムおよび方法に関する。
【背景技術】
【０００３】
関連技術の説明
無線通信システムでは、多重路伝搬によって生じる移動無線チャネルの小規模なフェージングを抑制するために、これまでに２つの手法が考案されてきた。受信機の性能を高めるために、アダプティブアンテナまたはダイバーシティ方式を用いることができる。このようなダイバーシティ方式の１つを「アンテナホッピング」と呼ぶ。アンテナホッピングは、狭スペクトルの用途に特に有用かつ有効であることが分かっており、一般に、ネットワークの最大出力において１０〜３０％までのポテンシャル利得を提供する。
【０００４】
アンテナホッピングでは、１つのベーストランシーバサブシステム（Base Transceiver
Subsystem（ＢＴＳ））内に配置されたアンテナアレイ内の異なるアンテナ上で情報の連続バーストが送信される。多重路伝送により、信号成分が同時にフェージングする可能性が著しく減じられるため、ダイバーシティ利得が得られる。このダイバーシティ利得は、移動度の低い条件において、すなわち、移動局の動きが遅いときに最も顕著になる。図１は、アンテナホッピング方式を実現するように構成されるＢＴＳの要素を示す機能ブロック図である。さらに性能を改善するために、アンテナホッピング方式はしばしば、周波数ホッピング方式と組合される。この周波数ホッピング方式は、異なる周波数帯域（ｆ１〜ｆ６として示す）を交互に連続して異なるアンテナに適用することを伴う。
【発明の開示】
【発明が解決しようとする課題】
【０００５】
特定のセルに対する最大出力需要を増大することにより、対応するＢＴＳにおいて信号搬送送受信機（ＴＲＸ）をより多く配置しなければならなくなることが多い。セルが応対する領域に対して全受信可能範囲を維持するために、ＴＲＸからの出力信号が好ましくは合成され、その後増幅または最適化される。ＴＲＸの出力信号が合成されない場合、各ＴＲＸをアンテナに接続する給電線があまりにも多く必要とされ、セルタワーの構造上の能力を超えるおそれがある。
【０００６】
一般に、ＴＲＸの出力信号は、低出力のコンバイナを用いて合成される。そして、高出力の超線形広帯域のマルチキャリアパワーアンプ（Multi-Carrier Power Amplifier（ＭＣＰＡ））等の装置が、送信された信号の各々を増幅し、それによってこれらの信号は、
所望の領域全体にわたって受信され得る。
【０００７】
アンテナホッピングは本質的に、アンテナの並列な組に加え、増幅器、コンバイナ、および送受切換器（ＤＰＸ）等の他の機器も必要とする。特に、１台のＭＣＰＡに数千ドルの費用がかかり得るため、少数の無線局にとって、この資本設備に法外な費用がかかるおそれがある。
【０００８】
さらに、システムの信頼性を最大にするために、ＢＴＳのハードウェアの冗長性のレベルをさらに上げることが望ましい。たとえば、「ホットスタンバイ」として公知の専用バックアップＭＣＰＡは、しばしばバックアップとして配置され、特定のアンテナに対して作動中のＭＣＰＡが故障した時に引継ぎを行なう。各アンテナまたはアンテナの組に対してホットスタンバイＭＣＰＡと、それに関連付けられたハードウェアとを維持することは、高価な解決策である。システムの信頼性を維持するための１つの代替例が、アンテナホッピングまたは伝送ダイバーシティを用いずに全冗長を提供することである。しかしながら、ダイバーシティを用いない冗長が、信号フェージングの問題に対処できないことは明らかである。したがって、このような冗長を提供するためのこれまでのシステムにまつわる法外な費用を生じずに、ダイバーシティおよび冗長の両方を提供するシステムおよび方法を考案することが必要とされる。
【課題を解決するための手段】
【０００９】
発明の概要
この発明は、周波数合成スキームを用いるベーストランシーバサブシステム（ＢＴＳ）内において故障検出を伴った全冗長アンテナホッピングを実現するためのシステムおよび方法を提供することにより、上記の問題に対処する。
【００１０】
有利にも、この発明のシステムおよび方法は、ＢＴＳ機器における設備投資を最小限に抑えつつ、全冗長を伴った、アンテナホッピング等のダイバーシティ方式と故障検出との共存を可能にする。この明細書により詳しく説明するさまざまな実施例に関し、この発明の或る局面を概略的に述べる。
【００１１】
この発明の一局面は、故障の存在に基づき、ダイバーシティ方式または修復方式のいずれかを選択的に実施することである。より具体的には、この発明のさまざまな実施例は、伝送ダイバーシティ冗長（transmit Diversity Redundancy（ＴＤＲ））コントローラを含む。ＴＤＲコントローラは、基地局の送受信機に関連付けられたアンテナブランチ上に故障が存在すること、および、故障時にＢＴＳに対してトラヒック需要があることに基づき、ダイバーシティモードまたは修復モードのいずれかにＢＴＳを維持する。
【００１２】
ＢＴＳは、好ましくは、各アンテナにつき１つのダイバーシティモードコンバイナと、故障時に使用されるさらに別の修復モードコンバイナ（以降、「リコンバイナ」と称する）とを含む。各ダイバーシティモードコンバイナは給電線に直接接続され、キャリア信号の一群を合成して合成信号を生じ、この合成信号をその給電線に沿って送信する。修復モードリコンバイナは、任意の給電線に沿った必須装置に故障が検出されたときに使用される。修復モードリコンバイナの目的は、以前に合成された信号を合成して再合成信号を生じ、その再合成信号を、故障していない給電線に沿って送信することである。
【００１３】
ＴＤＲコントローラはまた、故障検出器も含み得る。故障検出器は、各給電線の経路上の必須装置と連動機能して、第１の給電線の経路または第２の給電線の経路のいずれかに沿って故障を検出する。故障検出器は、故障を検出すると故障標識を生成する。この故障標識は、（２本の給電線が存在する環境と仮定した場合に）第１の給電線または第２の給電線のどちらに沿って故障が生じたのかを示す情報を含む。
【００１４】
ＴＤＲコントローラはプロセッサも含む。このプロセッサは、故障検出器から故障標識を受信し、実施すべき適切な故障修復手段に関する命令を決定または受信し、その故障修復手段を実施する。
【００１５】
この発明の別の局面に従い、また、積極的および消極的な故障修復手段が、故障の影響を最小限に抑える意思決定論理を介して選択的にかつ動的に実施される。関連する実施例において、ＴＤＲコントローラは、セルの位置についての現時点でのトラヒックデータに基づき、（積極的な修復を実施することによって）受信可能範囲を縮小するか、または、（消極的な修復を実施することによって）最大出力を低減するように指示される。特定の実施例において、ＴＤＲコントローラまたはＢＴＳの中央処理装置（Central Processing
Unit）は、ＢＴＳが搬送するトラヒックを間接的に監視し、積極的な修復または消極的な修復のいずれを実施すべきかを決定する。他の実施例において、積極的な修復または消極的な修復のいずれを実施すべきかについての決定は、基地局コントローラ（Base Station Controller（ＢＳＣ））により行なわれる。
【００１６】
特定の状況により、積極的な故障修復が呼出される。低需要の期間中において、この発明の例示的な方法は、他のアンテナブランチが修理されている間に、作動中のアンテナブランチにより、無線のトラヒックが最大出力の半分でサポートされ得ることを判断する。ＴＤＲコントローラは、ＢＴＳを修復モードに切換えない。積極的な故障の修復を実施するために、故障が１つの給電線（ダウン状態のブランチ）に沿って生じた場合、プロセッサは、他の給電線（作動中のブランチ）をそれぞれのダイバーシティモードコンバイナから接続解除して修復モードコンバイナに接続する切換手続を呼出す。第３のコンバイナは第１のコンバイナおよび第２のコンバイナの出力を受信し、これらの出力を合成して第３の合成信号を生成する。次に、この第３の合成信号は、作動中の給電線に沿って送信される。したがって、キャリア信号の第１および第２の群により表わされる周波数キャリアのすべてが作動中のブランチを介して送信され、受信可能範囲を犠牲にしてＢＴＳの周波数搬送能力を維持する。次にＢＴＳは、アンテナホッピングおよび／または伝送ダイバーシティがディスエーブルにされたことをＢＳＣに通知する。
【００１７】
特定の他の状況により、消極的な修復が呼出される。トラヒックがピークの期間中に故障が生じた場合、ＴＤＲコントローラは、すべての信号キャリアをダウン状態のアンテナブランチから作動中のブランチに切換え、それによって受信可能範囲を犠牲にする。消極的な修復を実施するために、トラヒックおよび故障データを処理することにより、故障の期間中にわたってこの故障に関する周波数を欠落させておくことを決定し、ＢＳＣは新規の呼のすべてに対し、周波数の再パッキングプロセスを実行する。消極的な修復の一例が、非周波数ＲＦホッピング構成である。
【００１８】
有利にも、この発明のシステムおよび方法はスケーラブルであり、任意の数のアンテナを有するＢＴＳに対処することができる。
【００１９】
これらのおよび他の目的、特徴および／または、利点は、以下により詳細に説明するように、この発明の実施例のさまざまな局面から生じ得る。
【発明を実施するための最良の形態】
【００２０】
この発明のさまざまな例示的実施例を以下の図面を参照して詳細に説明する。ここでは、同じ参照番号が同一または同様の構成要素またはステップを指す。
【００２１】
例示的な実施例の詳細な説明
次に、この発明の特定の実施例を、図面を参照してより詳細に説明する。図２は、この
発明のさまざまな実施例に対する例示的な一実施例を示すブロック図である。図２に示すように、この例示的な環境は、移動通信用グローバルシステム（Global System For Mobile Communications（ＧＳＭ））ネットワーク１００であるが、ＥＤＧＥ、ＴＤＭＡ、ＦＤＭＡ、ＣＤＭＡ、ＷＣＤＭＡ、ＯＦＤＭ、および同様の通信プロトコルを用いたネットワークを含む、他のさまざまな無線データ伝送システムおよび電気通信データ伝送システムにおいて、この発明が実現され得ることを当業者は認識するであろう。
【００２２】
ＧＳＭネットワーク１００は、３つの主サブシステム、すなわち、切換システム（ＳＳ）１０５、基地局システム（Base Station System（ＢＳＳ））１１０、およびオペレーションおよびサポートシステム（ＯＳＳ）１１５を含む。ＳＳ１０５は、ＧＳＭネットワーク１００内において、ならびに、ＧＳＭネットワーク１００と他の音声／データシステム、たとえば公衆交換電話網（ＰＳＴＮ）１２０、他の公衆陸上移動網（ＰＬＭＮ）１２５、およびパケット交換公衆データ網（ＰＳＰＤＮ）１３０との間において、加入者に関する機能および呼の処理を行なう。ＳＳ１０５は、以下の機能ユニット、すなわち、ホームロケーションレジスタ（ＨＬＲ）１３５、ビジターロケーションレジスタ（ＶＬＲ）１４０、認証センター（ＡＵＣ）１４２、端末識別レジスタ（ＥＩＲ）１４５、および移動通信交換局（ＭＳＣ）１５０を含む。ＳＳ１０５はまた、ゲートウェイ移動通信交換局（ＧＭＳＣ）１５５、ＧＳＭインターワーキングユニット（ＧＩＷＵ）１６０、メッセージセンター（ＭＸＥ）１６５、および移動通信ノード（ＭＳＮ）１７０も含む。
【００２３】
ＭＳＣ１５０は、ＧＳＭネットワーク１００についての無線通信に関連する機能のすべてを実行する少なくとも１つのＢＳＳ１１０と直接に連動機能する。さまざまな構成が可能であるが、図２において一例として示すＢＳＳ１１０は、１つの基地局コントローラ（ＢＳＣ）１８０と３つのベーストランシーバサブシステム（ＢＴＳ）１８５とを含む。ＢＳＣ１８０は、ＭＳＣ１５０とＢＴＳ１８５との間の論理的な相互接続を提供および制御する機能上のエンティティである。ＢＳＣ１８０は、ＢＴＳ１８５と共に物理的に位置付けられ得、または、Abisインターフェイス等のインターフェイス１９０を介してＢＴＳ１８５と通信し得る。ＧＳＭネットワーク１００に対する監視および制御機能は、オペレーションおよびサポートシステム（ＯＳＳ）１１５により実行される。３つのＢＴＳ１８５の各々は、ＢＳＳ１１０が応対するセクタに対応する。
【００２４】
図３は、簡略化した例示的なＢＴＳ１８５の特定の要素の機能上の構成を示すブロック図である。明瞭にするために、ＢＴＳ１８５の送信（Ｔｘ）経路のさまざまな要素が示され、ＢＴＳ１８５の受信（Ｒｘ）経路のさまざまな要素（配信アンプ等）は示されていない。ＢＴＳ１８５は主に、アンテナおよびいくつかの無線送受信機（ＴＲＸ）（まとめて２１５として示す）等の無線機器からなり、これらの無線機器は、単一セル内で作動する移動局に対して無線インターフェイスを設けるのに必要とされる。任意の時点において、ＴＲＸの一群（ＴＲＸの群Ａ２１６）が、ＴＲＸの群Ｂ２１７を介してアンテナにアクセスする。
【００２５】
次に、示された例示的な実施例を参照すると、ＢＴＳ１８５は、故障か、または機器が利用できないことを検出することによってトリガされる全冗長により、アンテナホッピング方式を実施する。機能上の構成要素は、少なくとも２本のアンテナ２００を含む。例示的な実施例において、アンテナＡ２０１およびアンテナＢ２０２からなる１対のアンテナ２００は、ＢＴＳ１８５が応対する各セクタに対する信号を送受信する。アンテナ２００の各々は、ＭＣＰＡ２０５が増幅した信号を送信する。各ＭＣＰＡ２０５は同一の装置であり得るが、明瞭にするため、アンテナＡ２０１に関連付けられたＭＣＰＡ２０５をＭＣＰＡ（Ａ）２０６と称し、アンテナＢ２０２に関連付けられたＭＣＰＡ２０５をＭＣＰＡ（Ｂ）２０７と称する。
【００２６】
ＭＣＰＡ２０５は、ＴＤＲコントローラ２１０によって合成されかつ最適に経路指定された信号を増幅する。ＴＤＲコントローラ２１０は、以下の機能、すなわち、故障の検出と、キャリア信号の再合成および再経路指定による故障の修復とを好ましくは実施する装置または装置群である。
【００２７】
図４を参照すると、ＴＤＲコントローラ２１０は、プロセッサ２１２、故障検出器２３５、少なくとも１つのリコンバイナ２５０、および切換機構２５５を含む。
【００２８】
プロセッサ２１２は、ＢＴＳ１８５の中央処理装置（ＣＰＵ）２５７から独立していても、または一体化していてもよい。プロセッサ２１２の機能は、故障の修復を実施または終了せよという命令に応答して切換機構２５５の動作を制御することである。加えて、特定の実施例において、プロセッサ２１２はまた、修復が必要であるか否かを判断する機能も有する。代替的に、修復が必要か否かの判定は、ＢＳＣ１８０において行なわれ得る。プロセッサ２１２、ＢＳＣ１８０、およびＢＴＳのＣＰＵ２５７の間において切換命令および／またはトラヒックデータを通信するための論理的接続を図４に示す。
【００２９】
プロセッサ２１２は、好ましくは、システムバスによってメモリ（図示せず）に接合される。このメモリは、読出専用メモリ（ＲＯＭ）およびランダムアクセスメモリ（ＲＡＭ）等の高速記憶装置を含み得る。ＲＯＭは、ベーシック入力／出力システム（ＢＩＯＳ）を記憶する。ＢＩＯＳは、起動中および他の時間において、プロセッサ２１２内の要素間での情報の転送を補助する基本的なルーチンを含む。ＲＡＭは、プログラムモジュールおよびドライバを記憶し得る。特に、ＲＡＭは、オペレーティングシステム、１つ以上のアプリケーションプログラム、プログラムデータ、およびウェブブラウザプログラムを含み得る。UNIX（登録商標）は、適切なオペレーティングシステムの単なる一例である。
【００３０】
プロセッサ２１２はまた、システムバスを介して（またはその他の態様で）プロセッサ２１２の他の構成要素に相互接続される複数のドライブを含み得る。例示的なドライブは、ハードディスクドライブ、磁気ディスクドライブ、および光学ディスクドライブ等の低速記憶装置を含む。具体的に、各ディスクドライブは、適切なインターフェイス（それぞれハードディスクドライブインターフェイス、磁気ディスクドライブインターフェイス、および光学ドライブインターフェイス）を介してシステムバスに接続され得る。さらに、プロセッサ２１２は、ドライブおよびそれらに関連付けられたコンピュータ読取可能な媒体を介して、不揮発性記憶装置またはメモリを含み得る。たとえば、磁気ディスクドライブにより磁気ディスクの使用が可能になり、光学ディスクドライブにより光学ディスクの使用が可能になる。コンピュータによって読取可能な他の種類の媒体、たとえば特に、磁気カセット、デジタルビデオディスク、フラッシュメモリカード、ＧＩＰカートリッジ、ＪＡＺＺカートリッジもまた、例示的なオペレーティング環境で使用可能である。
【００３１】
加えて、プロセッサ２１２は、システムバスに接続されたシリアルポートインターフェイスを含み得る。シリアルポートインターフェイスは、プロセッサ２１２との間で指令および情報の受け渡しを可能にする入力装置および出力装置に接続する。入力装置は、キーボード、マウス、および／または他の入力装置を含み得る。ペン、タッチ操作式装置、マイクロフォン、手動式操作装置、ゲームパッド、衛星放送用パラボラアンテナ、スキャナ、および他の入力装置もまた、指令および／または情報の入力用に使用することができる。また、これらの入力装置を他のインターフェイス、たとえばEthernet（登録商標）ポートまたはユニバーサルシリアルバス（ＵＳＢ）等の他のインターフェイスを介して接続することもできる。さらに、ＴＤＲコントローラ２１０は、モニタ、プリンタ、または他の表示装置等の出力装置を含み得る。表示装置は、ビデオアダプタ（図示せず）等のインターフェイスを介してシステムバスに接続される。ＴＤＲコントローラ２１０は、スピーカまたはプリンタ（図示せず）等の他の周辺装置および／または入力／出力装置を含み得る
。
【００３２】
キャリア信号の合成
故障が存在しない場合、ＴＤＲコントローラ２１０は、アンテナホッピングおよび周波数ホッピングを含むさまざまなダイバーシティ方式の実施を可能にするダイバーシティモードで作動する。ＴＤＲコントローラ２１０は、ダイバーシティモードにおいて、ＴＲＸ２１５の２つの群（図３においてＴＲＸの群Ａ２１６およびＴＲＸの群Ｂ２１７として示す）からのキャリア信号を合成して２つの合成信号を生じ、合成信号の各々は、一本の給電線２２０上で１つのアンテナブランチに沿ってそれぞれのアンテナ２００に搬送される。この明細書で使用する「アンテナブランチ」という用語は、給電線２２０と、この給電線２２０に沿ってかつＴＤＲコントローラ２１０から下流の全要素とを指し、アンテナ２００を含む。この明細書で使用する「モード」という用語が、特に冗長アンテナブランチおよびそれに関連付けられた機器の主要目的に関し、ＢＴＳ機器の機能上の状態を単に指すことに注意されたい。
【００３３】
図４を参照すると、ＴＤＲコントローラ２１０は、ＴＲＸの群Ａ２１６からのキャリア信号を合成するためのコンバイナＡ２２５と、ＴＲＸの群Ｂ２１７からのキャリア信号を合成するためのコンバイナＢ２３０とを含む。ダイバーシティモードにおいて、コンバイナＡ２２５からの合成信号は、ＭＣＰＡ（Ａ）２０６に中継され、コンバイナＢ２３０からの合成信号は、ＭＣＰＡ（Ｂ）２０７に中継される。
【００３４】
各実施例において、ダイバーシティは、主に一斉伝送アンテナ、アンテナホッピング、および／または周波数ホッピングにより達成される。しかしながら、アンテナ２００を介して伝送される合成信号の伝送経路および周波数帯域の変更を伴うだけでなく、他の空間ダイバーシティ、極性ダイバーシティ、および放射パターンダイバーシティプロトコルを伴う任意の方法を含む、公知のまたは今後開発される任意のダイバーシティ方法および合成方法を用いて、この発明のシステムおよび方法を実現することができる。
【００３５】
故障の検出
ＴＤＲコントローラ２１０は、一例を要素２３６として示す故障を検出するための故障検出器２３５を含む。故障検出器２３５は、ＭＣＰＡ２０５、給電線２２０、送受切換器（ＤＰＸ）２３７、タワー搭載／マストヘッド増幅器（Tower Mounted/Masthead Amplifier（ＴＭＡ））２２２、および／または対応するアンテナ２００を含む、アンテナブランチに沿って信号を伝送するのに必要とされる「必須機器」に関連付けられる。故障検出器２３５は、プロセッサ２１２と一体化されてよく、または、ＴＤＲコントローラ２１０の独立した要素として実現されてよい。
【００３６】
故障検出器２３５は、好ましくは、センサ、指向性カプラ、および／または他の相互接続等の中継装置からなる機能上の構成要素であり、アンテナブランチに関連付けられた必須機器からプロセッサ２１２に、および（直接的にまたは間接的に）ＢＳＣ１８０に対し、作動状態の情報を中継する。故障検出器２３５が、適切なハードウェアおよび／またはソフトウェア検出回路の任意の組合せを用いて実現され得ることを理解されたい。
【００３７】
故障検出器２３５は、任意の必須機器内の故障を直接的にまたは間接的に検出することができる。たとえば、故障検出器２３５は、アンテナの故障を検出するために、各アンテナ２００に隣接する各給電線２２０のセグメント上の指向性カプラ２４５を介して、電圧定在波比（Voltage Standing Wave Ratio（ＶＳＷＲ））検出器４１０と連動機能する。いずれかのアンテナ２００が故障している場合、検出器２３５は異常に高い反射信号を検出し、故障を示す。故障検出器２３５はこれに応答して、故障標識としてのフラグをプロセッサ２１２に渡す。
【００３８】
故障検出器２３５は、好ましくは、アンテナ経路に沿って検出された信号と、ＴＲＸ２１５から生じた信号とを比較する。この比較は、検出された信号の欠落が実際にはＴＲＸ２１５の故障によって生じている場合に、故障検出器２３５がアンテナ経路の故障を示すことを防止する。
【００３９】
ＴＭＡ２２２は、作動するためにＢＩＡＳ−Ｔ２４８等の電源を必要とする電子装置である。ＢＩＡＳ−Ｔ２４８は、ＢＳＳ１１０のＤＣバイアスコントローラ（図示せず）からのＤＣ電流と信号との混合物を、給電線２２０に注入する。一般に、ＴＭＡ２２２には、停電が生じた場合にＴＭＡ２２２の増幅器の構成要素をバイパスするバイパス中継器が備え付けられている。しかしながら、致命的な故障によりＴＭＡ２２２およびバイパス中継器がディスエーブルにされた場合、故障検出器２３５は、通常ＢＳＳ１１０レベルにおいて設けられるＤＣ−バイアスコントローラ４２０および／または他のアラーム要素と連動機能することによって故障を検出する。故障検出器２３５は、この故障の表示をプロセッサ２１２に中継する。
【００４０】
ＭＣＰＡ２０５のいずれかの故障時に、その影響を受けているＭＣＰＡ２０５は、その内部の中央処理装置（ＣＰＵ）から出力されるデータを介して故障を示す。故障検出器２３５は、プロセッサ２１２にこの故障の表示を中継する。したがって、故障検出器２３５が、自己検出に加え、または自己検出の代わりに、他の故障検知機器から故障標識を受信した後にこの故障標識をプロセッサ２１２またはＢＳＣ１８０に通信することにより、間接的に故障を検出できることにも注目されたい。
【００４１】
ＭＣＰＡ２０５とＴＤＲコントローラ２１０との間で生じたどのような故障も、ＭＣＰＡ２０５に対して信号の損失を生じる。それに応答して、ＭＣＰＡ２０５内のＣＰＵは、「信号のない」状態を示す。故障検出器２３５は、ＭＣＰＡ２０５の「信号のない」状態を検出して故障信号を生成し、この故障信号をプロセッサ２１２に中継する。
【００４２】
故障の修復
故障を修復する手段には、１）ダイバーシティモードから修復モードへの切換（積極的な修復）または２）故障したアンテナブランチに関連するキャリアを欠落させる（消極的な修復）のいずれかが含まれる。好ましくは、どちらの修復手段を実施するかについての判断は、ＢＴＳのＣＰＵ２５７またはＢＳＣ１８０のいずれかにより行なわれる。ＴＤＲコントローラ２１０は、故障標識をローカルに処理し、この標識をＢＳＣ１８０に中継し、トラヒックデータまたは他のパラメータに基づいてＢＳＣ１８０から指令を受信し、受信した指令に応じて適切な故障修復手段を実施する。ＴＤＲコントローラ２１０は、故障修復手段を実施した後に、ＢＳＣ１８０に対し、採用した修復手段を通知する。他の特定の実施例において、プロセッサ２１２は、別の外部のプロセッサ（ＢＳＣ１８０または他のデータソースからトラヒックまたは他の関連データを受信することができる）に対し、故障標識およびそれに関連する任意のデータを中継し、その外部のプロセッサ（ＢＴＳのＣＰＵ等）から故障修復の命令を受信する。上述の判断に関する論理を、以下により詳細に説明する。
【００４３】
積極的な修復
故障２３６を積極的に修復するために、ＴＤＲコントローラ２１０は、アンテナブランチ上の故障２３６を示す故障検出器２３５から故障標識を受信すると、ＢＴＳ１８５をダイバーシティモードから修復モードに切換える。
【００４４】
再び図４を参照すると、アンテナＡ２０１に供給を行なうアンテナブランチが位置１に切換えられ、かつ、アンテナＢ２０２に供給を行なうアンテナブランチが位置３に切換え
られたときに、ダイバーシティモードが示される。したがって、ダイバーシティモードでは、コンバイナＡ２２５およびコンバイナＢ２３０が作動し、リコンバイナＣ２５０はいずれのアンテナブランチにも接続されない。
【００４５】
対照的に、図５は、修復モードにある例示的なＴＤＲコントローラ２１０の機能上の構成を示すブロック図である。ＴＤＲコントローラ２１０は、ダイバーシティモードから修復モードに切換えるために、コンバイナＡ２２５およびコンバイナＢ２３０の出力を、リコンバイナＣ２５０を介して経路指定する。それと同時に、ＴＤＲコントローラ２１０は、好ましくは、リコンバイナＣ２５０の出力を切換えて、再合成信号を、故障２３０を受けていないアンテナブランチ（「作動中の」アンテナブランチ）に沿って供給する。
【００４６】
より具体的には、図示された実施例によると、積極的な修復は、ＴＤＲコントローラ２１０が故障２３６の検出に応答して、そのプロセッサ２１２を介して切換機構２５５を作動させ、作動中のアンテナブランチを位置２に切換えたときに生じる。図５において、故障２３６は、アンテナブランチの必須要素内の故障検出器２３５によって検出される。したがって、アンテナＢに関連付けられたアンテナブランチが、「ダウン状態のブランチ」であり、アンテナＡに関連付けられたアンテナブランチが、「作動中のブランチ」である。作動中のブランチを位置１から位置２に切換えることにより、作動中のアンテナブランチに関連付けられたコンバイナを有する回路を遮断し、作動中のアンテナブランチとリコンバイナＣ２５０との間の回路を接続する。
【００４７】
図５において、アンテナＢ２０２に関連付けられたアンテナブランチは、故障２３６を有しているため、ダウン状態のブランチである。故障検出器２３５がダウン状態のブランチ内で故障を検出すると、故障検出器２３５は、プロセッサ２１２に故障の表示を中継する。故障の表示は、ダウン状態のブランチと作動中のブランチとを識別する。プロセッサ２１２は、それに応答して切換機構２５５を作動させ、作動中のアンテナブランチを位置１から位置２に切換える。作動中のアンテナブランチが、ダイバーシティモードにおいて、ＢＴＳ１８５によって処理されるトラヒックの一部のみを受信するのに対し、アンテナＡ２０１は、修復モードにおいて、リコンバイナＣ２５０の出力を受信する。この出力は、キャリアｆ１からｆ６上で搬送される全ユーザデータの再合成からなり、ＢＴＳ１８０が応対するセクタにより搬送されるすべてのトラヒックを表わす。ダウン状態のブランチは、位置３に切換えられたままである。
【００４８】
すべてのアンテナブランチの最大出力とそれに関連付けられた機器の最大出力とが同等である場合でさえも、１つのアンテナブランチのみを用いた合成信号の伝送により、ＢＴＳ１８５の受信可能範囲の地理上の面積は著しく縮小されない。ＢＴＳ１８５は、ダウン状態のアンテナ経路の１つにつき、出力の約５０％を失い得るが、ＢＴＳ１８５の最大出力は影響を受けない。たとえば、伝搬状態に依存して１つのキャリアにつき５０％（３ｄｂ）だけ出力を下げることは、セルの半径（ｒ）を１０％だけ（０．９ｒまで）縮小することと、セル内の受信可能範囲の面積を２０％だけ縮小することとに相当する。再び図２を参照すると、各ＢＴＳ１８５が、セルのサイトを構成する３つのセクタ（セル）の１つに応対することに注目すべきである。したがって、セクタの受信可能範囲の面積が８０％まで縮小されても、結合されたすべてのセルのサイトのセクタの受信可能範囲の全面積は、図６に示すように、９３．３％まで縮小されたに過ぎない。
【００４９】
受信可能範囲の縮小は、故障２３６の検出および修復の前に比べて今や２倍のトラヒックを搬送する作動中のブランチにおいて達成可能な最大出力パワーを下げることによって生じる。受信可能範囲の縮小は、故障２３６によって生じる機能停止の期間にわたって継続する。高トラヒックの期間においては、生じている相対的に多数の呼を欠落させるために、最大出力よりも受信可能範囲を縮小することが好ましいと考えられる。
【００５０】
消極的な修復
代替例として、故障が生じる前にダウン状態のブランチが搬送していた周波数帯域を欠落させることにより、アンテナブランチ上の故障２３６に対処することができる。１つのブランチが処理する最大出力を下げることにより、ＢＴＳ１８５が周波数を搬送する能力を、一般には２分の１だけ効果的にも下げることが明らかである。しかしながら、ＢＴＳ１８５の受信可能範囲は大抵、僅かに縮小されるにすぎない。特定の実施例において、トラヒックレベルは、積極的な修復または消極的な修復のいずれを実施すべきかを決定するパラメータである。低トラヒックの期間においては、受信可能範囲ではなく最大出力を下げることが好ましいと考えられる。なぜなら、故障２３６の時間に生じている呼のみを欠落させるためである。ＢＴＳ１８５は、ＢＳＣ１８０に機能停止を通知し、ＢＳＣ１８０は、ダウン状態のブランチが修復されるまでそのセル（または影響を受けているブランチ）におけるアンテナホッピングおよび伝送ダイバーシティを一時停止する。したがって、低トラヒックの状態は、それ以降の呼の容量全体が、作動中のブランチに割当てられた周波数キャリア上で成功裡に搬送され得る確率を高める。
【００５１】
動的な意思決定
上述のように、この発明の特定の実施例は、論理を用いることにより、合成された周波数帯域を、作動中のブランチを用いて伝送すべきであるかを判断し、それによって受信可能範囲を縮小する（積極的な修復）か、または、ダウン状態のブランチが搬送していた周波数キャリアを欠落させることによって最大出力を下げる（消極的な修復）か、のいずれかを決定する。これらの実施例は、この決定を、ＢＴＳ１８５またはネットワーク１００に関連するトラヒック状態または他のパラメータに基づいたものにする。他のパラメータは、以下のものに限定されないが、たとえば、サービスの品質、費用または収益に関する考慮事項、影響を受けていないブランチの最大出力、予定されたメンテナンス、および時刻である。
【００５２】
一実施例において、ＴＤＲコントローラ２１０は、故障検出器２３５から故障標識を受信すると、ＢＳＣ１８０と通信セッションを開始する。ＴＤＲコントローラは、故障データをＢＳＣ１８０に渡す。この故障データは、アンテナブランチがディスエーブルにされたことを単に示すことができ、または、より詳細な情報、たとえばダウン状態のブランチの識別、ダウン状態のブランチの仕様（最大出力、割当てられた周波数等）、故障の説明等を含むことができる。ＢＳＣ１８０は、決定論理において指定された現時点でのトラヒック状態または他のパラメータに基づき、受信可能範囲を縮小すべきか、または、最大出力を低減させるべきかを判断する。
【００５３】
別の実施例において、プロセッサ２１２は、ＢＳＣ１８０とのセッションを開始するが、受信可能範囲を縮小すべきか、または、最大出力を低減させるべきかについての決定に必要とされるトラヒックデータおよび他の情報のみを検索する。この実施例において、プロセッサ２１２は、ＢＴＳ上のトラヒックを分析する機能を有する。プロセッサ２１２がＢＴＳのＣＰＵ２５７と一体化され得ることに注目されたい。プロセッサ２１２は、トラヒックデータまたは他の情報を処理し、現時点でのトラヒック状態に基づき、受信可能範囲を縮小すべきか、または、最大出力を低減させるべきかを決定する。
【００５４】
代替的に、別の実施例において、ＢＴＳのＣＰＵ２５７は、ＢＳＣ１８０に頼らずに決定を行なう。むしろ、ＢＴＳのＣＰＵ２５７は、その時点でＢＴＳ１８５が応対しているセルによって占有されるトラヒックを監視する。各ＢＴＳ１８５は一般に、Ｔ１ライン等のデータ伝送リンクを介してＢＳＣ１８０と通信する。ＴＤＲコントローラ２１０は、好ましくは、このデータ伝送リンクと連動機能することにより、トラヒックデータまたは他の情報に基づいて指令を受信する。ＢＴＳのＣＰＵ２５７は、現時点でのトラヒック状態
に基づいて、受信可能範囲を縮小すべきか、または、最大出力を低減させるべきかを決定し、それに応じてプロセッサ２１２に命令する。
【００５５】
これまでの実施例において、トラヒックデータはＢＳＣ１８０により処理されており、ＢＳＣ１８０は、トラヒックのレベルが予め規定されたしきい値に到達するか、またはそのしきい値を超えたときに切換および合成をトリガするように予めプログラムされ得る。トラヒックデータは、公知のまたは今後開発されるであろうさまざまな任意の無線トラヒックの測定基準を含み得、この測定基準は、サービスの品質（ＱｏＳ）パラメータおよび他の音声および／またはデータ伝送性能の標識を含む。
【００５６】
さらに、これまでの実施例において、ＢＳＣ１８０は、連続してまたは定期的に、前もってトラヒックを監視することができる。ＴＤＲコントローラ２１０は、反動的にＢＳＣ１８０との通信を開始するか、もしくはＴ１リンクを監視することができ、または、これらのことを連続してまたは定期的に行なうことができる。
【００５７】
さらに別の利点として、プロセッサ２１２は、好ましくは、故障状態を定期的にまたは連続して監視し、修復を必要とする故障が解消されたことを検出する。故障が一旦解消されると、プロセッサ２１２は修復手段を取消し、アンテナ設定方式または周波数割当方式を通常のものに戻す。修復手段の取消しは、故障の解消およびその検出が行なわれると自動的に生じ得、または、プロセッサ２１２もしくは外部要因が発行する「リセット」指令等の外部トリガに応答して自動的に生じ得る。さらに、故障の期間全体にわたり、プロセッサ２１２は、好ましくは、トラヒックの状態または修復手段の選択に関する他のパラメータを定期的にまたは連続して監視し、消極的な修復を選ぶために積極的な修復を中止すべきか、またはその反対に積極的な修復を選ぶために消極的な修復を中止すべきか、を判断する論理を使用する。
【００５８】
スケーラビリティ
これまでの実施例は、２本のアンテナ経路を有するＢＴＳ１８５に関して説明されてきたが、この発明は完全にスケーラブルであり、この発明を用いることにより、任意の数のアンテナ経路を有するＢＴＳ１８５においてダイバーシティおよび冗長を実施することができる。
【００５９】
図７は、修復モードにおける例示的なＴＤＲコントローラのスケーラブルな実施例の機能上の構成を示すブロック図である。示された実施例は、ｎ本のアンテナ経路が１つのＴＤＲコントローラ２１０を用いて制御され得ることを示す。示されたＴＤＲコントローラ２１０は、コンバイナ（１）２６０、コンバイナ（２）２６５、コンバイナ（ｎ−１）２７０、およびコンバイナ（ｎ）２７５を含むｎ個のコンバイナを含む。ダイバーシティモードにおいて、これらのコンバイナの各々は、それぞれ、給電線（１）２８０、給電線（２）２８５、給電線（ｎ−１）２９０、および給電線（ｎ）２９５に直接接続される。これらのコンバイナの各々はまた、ｎ：ｎ−１の合成比を有するリコンバイナ７００の入力側にも接続される。しかしながら、給電線（ｎ−１）２９０に関連付けられたアンテナ経路上での故障２３６に応答して積極的な修復が実施される場合、給電線（１）は、コンバイナ（１）２６０（位置１）の出力から、位置１′として示される、リコンバイナ７００の隣接する出力に切換えられる。給電線（２）２８５は、コンバイナ（２）２６５（位置２）の出力から、位置２′として示される、コンバイナ３００の隣接する出力に切換えられる。給電線（ｎ−１）２９０は切換えられない（すなわち、そのコンバイナに接続されたままである）。給電線（ｎ）は、コンバイナ（ｎ）２７０（位置ｎ）の出力から、位置ｎ−１′として示される、リコンバイナ７００の隣接する出力に切換えられる。
【００６０】
影響を受けたブランチを欠落させることによってダイバーシティ方式から積極的な修復
が実施された後に、影響を受けていないブランチにおいてアンテナホッピングおよび／または伝送ダイバーシティを引続き行なうことができる。
【００６１】
消極的な修復に加え、アンテナ経路２８０、２８５、２９０、または２９５のいずれかの上での故障２３６への応答を、選択的に実施することができる。上述の実施例と同様に、消極的な修復は、ダウン状態の給電線上で搬送される周波数のタイムスロットの再パッキングを必要とする。ＢＳＣ１８０は、ダウン状態のブランチが修復されたことをＢＴＳ１８５が示すまで、この故障により影響を受けなかった周波数キャリアに対し、それ以降の無線の呼を再割当てすることによって周波数の再パッキングを実施する。
【００６２】
柔軟性
この発明の概念および原理は、任意の構成および要素を構成要素として有するＴＤＲコントローラを用いて同様に実現することができる。たとえば、図８は、１：２スプリッタＥおよびＦならびにリコンバイナＣとして３ｄＢのハイブリッドコンバイナを用いるＴＤＲコントローラの一実施例の機能上の構成を示すブロック図である。各コンバイナＡおよびＢの出力は、分割されると半分に減少する。しかしながら、ＭＣＰＡのＡおよびＭＣＰＡのＢは、好ましくは、低出力の入力信号のみを必要とする高利得装置である。ＴＲＸが放出する信号が比較的高出力であるため、伝送される信号の動作または整合性に影響を及ぼさずにそれぞれのＭＣＰＡへのアンテナ経路に沿って電力を落とすことができる。図８に示す実施例は、ダイバーシティモードにあり、すなわち、故障が検出されておらず、ＢＴＳは通常通り作動している。背面放射を防ぐために、スプリッタＥおよびＦの出力ポートがしっかりと絶縁されていなければならないことに注意されたい。当業者は、スプリッタを絶縁するさまざまな方法を認識するであろう。
【００６３】
図９は、修復モードにおける図８の実施例の機能上の構成を示すブロック図である。当業者は、リコンバイナＣ８５０が１つ以上の入力を有し得ることを認識するであろう。有利にも、故障しなかったブランチ９２０に切換えた後に、すべてのキャリア間の合成信号を再較正する必要がない。
【００６４】
たとえば、図１０は、１：２スプリッタＥおよびＦならびに２つのリコンバイナＣおよびＤを使用するＴＤＲコントローラの一実施例の、ダイバーシティモードにある機能上の構成を示すブロック図である。切換機構１０５５は、ダブルポール・シングルスロースイッチを含む。この実施例を実現する際の重要な考慮事項は、ケーブル１０６０および１０６５の長さである。信号のレベルおよび遅延のバランスを取るために、これらのケーブルの長さを等しく、かつ、相対的に短くしなければならない。
【００６５】
図１１は、修復モードにおける図１０の実施例の機能上の構成を示すブロック図である。
【００６６】
この明細書に開示したシステムおよびプロセス、ならびにその要素または実施例に対し、この発明のさまざまな原理、特徴、局面、および利点の精神および範囲から逸脱することなく、追加、削除、置き換え、および／または変更を行なうことができる。
【００６７】
たとえば、この発明のＴＤＲコントローラ２１０は一体型装置として説明されているが、協働してこの明細書に記載された機能を実施する別個の構成要素からなる、相互接続されたシステムであってもよい。図面に示すアンテナアレイの配置は単に例示的なものである。なぜなら、この発明のシステムおよび方法を、直線、半円、矩形、翼状、およびＺ字型の形状を含むさまざまなアンテナアレイの構成にも等しく適用することができるためである。
【図面の簡単な説明】
【００６８】
【図１】（冗長を用いずに）アンテナホッピング方式を実施するように構成されたＢＴＳの特定の要素を示す機能ブロック図である。
【図２】この発明のさまざまな実施例の例示的な環境を示すブロック図である。
【図３】この発明のさまざまな実施例との整合性を有する例示的なＴＤＲコントローラを用いて、故障検出を伴った全冗長アンテナホッピング方式を実施するＢＴＳの特定の要素の機能上の構成を示すブロック図である。
【図４】ダイバーシティモードにおける例示的なＴＤＲコントローラの機能上の構成を示すブロック図である。
【図５】修復モードにおける例示的なＴＤＲコントローラの機能上の構成を示すブロック図である。
【図６】この発明の特定の実施例に従った、積極的な修復を実施した後におけるアンテナブランチの消失の影響を示す図である。
【図７】修復モードにおける例示的なＴＤＲコントローラのスケーラブルな実施例の機能上の構成を示すブロック図である。
【図８】ダイバーシティモードにおけるＴＤＲコントローラの代替的な一実施例の機能上の構成を示すブロック図である。
【図９】修復モードにおける図８の実施例の機能上の構成を示すブロック図である。
【図１０】ダイバーシティモードにおけるＴＤＲコントローラの代替的な一実施例の機能上の構成を示すブロック図である。
【図１１】修復モードにおける図１０の実施例の機能上の構成を示すブロック図である。
【図１】
0004516568.tif 000002
【図２】
0004516568.tif 000003
【図３】
0004516568.tif 000004
【図４】
0004516568.tif 000005
【図５】
0004516568.tif 000006
【図６】
0004516568.tif 000007
【図７】
0004516568.tif 000008
【図８】
0004516568.tif 000009
【図９】
0004516568.tif 000010
【図１０】
0004516568.tif 000011
【図１１】
0004516568.tif 000012